(57)【特許請求の範囲】
【請求項１】
前部パネル（２）と、後部パネル（３）と、を有する刻み煙草入れであって、
前記前部パネル（２）及び前記後部パネル（３）は、第１の側端部（４）で第１の折り畳み線（５）を介し、第２の側端部（１５）で第１の接続手段（１６）を介し、及び下端部（１３）で第２の接続手段（１７）を介して、互いに接続されており、上端部（６）に沿って、前記第１の折り畳み線（５）から前記第１の接続手段（１６）まで延びるストリップ形状の開放可能な第１の閉塞部（９）が開口部（１９）をシールし、前記第１の閉塞部（９）と前記第２の接続手段（１７）との間に配置され、前記第１の折り畳み線（５）から前記第１の接続手段（１６）へ延びるストリップ形状の開放可能な少なくとも１つの第２の閉塞部（１２）が前記刻み煙草入れの内側を少なくとも２つのチャンバ（２０、２１）に分割し、垂れ蓋（８）が第２の折り畳み線（７）を介して前記後部パネル（３）の前記上端部（６）に接続されている、刻み煙草入れ。
【請求項２】
ヒートシール可能なフィルム材料から完全に又は部分的になる請求項１に記載の刻み煙草入れ。
【請求項３】
前記垂れ蓋（８）が前記前部パネル又は前記後部パネル（３）に、前記第２の折り畳み線（７）から所定の距離において開放可能な第３の閉塞部（２２）によって接続されていることを特徴とする請求項２に記載の刻み煙草入れ。
【請求項４】
前記第３の閉塞部（２２）は再閉塞可能な閉塞部であることを特徴とする請求項３に記載の刻み煙草入れ。
【請求項５】
前記第３の閉塞部（２２）は、接着剤ストリップ、チャック、平面ファスナ、又は微細吸引構造であることを特徴とする請求項３又は４に記載の刻み煙草入れ。
【請求項６】
前記第１の接続手段（１６）は、前記前部パネルと前記後部パネルとを接続するシールシーム又は折り畳み線であることを特徴とする請求項１〜５のいずれか一項に記載の刻み煙草入れ。
【請求項７】
前記第１の閉塞部（９）及び／又は前記少なくとも１つの第２の閉塞部（１２）は、再閉塞不可能な閉塞部であることを特徴とする請求項１〜６のいずれか一項に記載の刻み煙草入れ。
【請求項８】
前記第１の閉塞部（９）及び／又は前記少なくとも１つの第２の閉塞部（１２）は、前記前部パネル（２）と前記後部パネル（３）とを接続する、不可逆的にこじ開けることができる接着接合部（１４）であることを特徴とする請求項７に記載の刻み煙草入れ。
【請求項９】
前記第１の閉塞部（９）は再閉塞可能な閉塞部であることを特徴とする請求項１〜８のいずれか一項に記載の刻み煙草入れ。
【請求項１０】
前記第１の閉塞部（９）は、チャック、平面ファスナ、又は微細吸引構造であることを特徴とする請求項９に記載の刻み煙草入れ。
【請求項１１】
前記少なくとも１つの第２の閉塞部（１２）は、刻み煙草入れの内側をいくつかの同じサイズのチャンバ（２０、２１）に分割することを特徴とする請求項１〜１０のいずれか一項に記載の刻み煙草入れ。
【請求項１２】
少なくとも１つのミシン目の線（２８）が、前記前部パネル（２）に配置されていることを特徴とする請求項１〜１１のいずれか一項に記載の刻み煙草入れ。
【請求項１３】
前記ミシン目の線（２８）が、前記第１の閉塞部（９）に近接して配置されて、前記第２の閉塞部（１２）の方向に延在していることを特徴とする請求項１２に記載の刻み煙草入れ。
【請求項１４】
連続的なウェブ形状のフィルム材料のカットオフ部分から製造されることを特徴とする、請求項１〜１３のいずれか一項に記載の刻み煙草入れ。
【請求項１５】
連続的な筒状形状のフィルム材料のカットオフ部分から製造されることを特徴とする、請求項１〜１４のいずれか一項に記載の刻み煙草入れ。
【発明の詳細な説明】
【技術分野】
【０００１】
本発明は、刻み煙草入れに関する。
【背景技術】
【０００２】
刻み煙草入れは、必要に応じてばらの煙草から個々の巻きたばこを巻くために、ばらの煙草を保存するという目的を果たす。最近は、刻み煙草入れはプラスティックフィルムから、機械によって大量に生産されている。それらは前部パネルと、後部パネルと、を有し、これら前部パネルと後部パネルとが、折り畳み線及び／又はシールされたシームに沿った端部において、互いに接続される。開口部の端部では、前部パネル及び後部パネルは通常は垂れ蓋（ｆｌａｐ）を有し、この垂れ蓋は、取り外し可能な接着性ストリップを用いて前部パネル又は後部パネルに接続することができる。垂れ蓋は、煙草、並びに湿気及び香味が浸出するのを防止する。
【０００３】
特許文献１は、刻み煙草入れとして設計されたパッケージを開示しており、この刻み煙草入れは、パウチとして設計された少なくとも２つの部分パッケージから構成されている。これら部分パッケージは、それらの側端部を介して互いに接続され、部分パッケージの寸法は合計で、一体成型のパッケージの寸法に等しい。側端部のミシン目の線に沿って、部分パッケージは互いから分離させることができる。パッケージは従来の刻み煙草入れよりも少ないパッケージ材料しか必要とせず、異なるサイズの煙草のパックの量に使用される。その点に関して、パッケージは周知のパッケージとして同じ包装機で処理することができる。しかし、欠点は短い開口部であり、それは煙草を取り出すのを難しくする。さらに、短い垂れ蓋は、巻きたばこの長さを有する煙草のロールを予備形成するためのベースとしては好適ではない。
【先行技術文献】
【特許文献】
【０００４】
【特許文献１】独国実用新案出願公開第２０２００９０１３５０６号明細書
【特許文献２】欧州特許第１０１７５９３号明細書
【発明の概要】
【発明が解決しようとする課題】
【０００５】
特許文献１に開示されたパッケージを出発点として、本発明の目的は、少量の包装材料しか使用しないことを基本として、様々な同じ又は異なる量の若しくはブレンドの煙草を別々に保存することを可能にし、従来型のフォーマットを有し、煙草を長期間、新鮮に保持し、使用者が刻み煙草入れ及び個々の巻煙草を作るのに先立つ煙草の取り扱いを簡単にする、刻み煙草入れを作りだすことである。
【課題を解決するための手段】
【０００６】
この目的は、請求項１の特徴を有する刻み煙草入れによって解決される。刻み煙草入れの有利な実施形態は従属請求項に与えられている。
【０００７】
本発明によるフィルム材料からなる刻み煙草入れは前部パネルと後部パネルとを有し、これら前部パネルと後部パネルとは、第１の側端部において第１の折り畳み線を介し、第２の側端部において第１の接続手段を介し、かつ、下端部において第２の接続手段を介して、互いに接続されており、上端に沿って第１の折り曲げ線から第１の接続手段まで延びるストリップ形状の開放可能な第１の閉塞部が開口部をシールし、第１の閉塞部と第２の接続手段との間に配置され、第１の折り畳み線から第１の接続手段へ延びるストリップ形状の開放可能な少なくとも１つの第２の閉塞部が、刻み煙草入れの内側を２つのチャンバに分割する。
【０００８】
本発明に係る刻み煙草入れは、上端部に第１の閉塞部を有し、この閉塞部は刻み煙草入れの内側への開口部をシールし、煙草並びに湿気及び香味が浸出しないように防止する。さらに、刻み煙草入れは少なくとも１つの第２の閉塞部を有し、この第２の閉塞部は、刻み煙草入れの内側を少なくとも２つのチャンバに分割する。一旦第１の閉塞部が開放されると、最初に、煙草を第１の閉塞部の隣に配置された第１のチャンバから取り出すことができる。さらに第１の閉塞部から取り出される第２のチャンバの中の煙草は、さらに湿気及び香味の浸出から保護される。第２のチャンバ中では、第１のチャンバが長い時間をかけて空にされた場合であっても、煙草は新鮮な状態で使用可能である。第１のチャンバが空になると、第２のチャンバに外から第１のチャンバを通じてアクセスすることができ、第２の閉塞部を開けることによって煙草を取り出すことができる。刻み煙草入れはいくつかの第２の閉塞部を有することができ、一旦前のチャンバが空になると、いくつかの第２のチャンバを順々に開放することができる。刻み煙草入れは好ましくは全部で２つのチャンバを有する。チャンバが上端部に対して平行に延びるので、上端部の全長又は全長の殆どが煙草を取り出すために使用可能である。このことは、使用者が巻き煙草の通常の長さを有する煙草のロールを作れるように用意されたバラバラの煙草を配置するプロセスを容易化する。さらに、刻み煙草入れはより小さな大きさに折り畳むことができる。第１の閉塞部を閉じる前に刻み煙草入れを充填するために、上端の開口部の全長を使用することができる。従来の機械をこの目的のために使用することができる。
【０００９】
好ましくは、第１の閉塞部及び／又は第２の閉塞部はシールされたシームであるか、接合されたシームであるか、チャックであるか、平面ファスナであるか、又は微細吸引構造である。チャックは好ましくはプラスティックチャックである。本発明における使用のために好適である平面ファスナは、Ｖｅｌｃｒｏ  ＧｍｂＨによって商標Ｖｅｌｃｒｏ（登録商標）の下で商品化されている。本発明における使用のために好適である微細吸引構造は、Ｙｕｐｏ  Ｅｕｒｏｐｅ  ＧｍｂＨによって、商標Ｙｕｐｏ  Ｔａｋｏ（登録商標）の下で商品化されている。
【００１０】
第１の折り畳み線が、前部パネル及び後部パネルを構成する連続的なフィルム材料に設けられる。第１の代替例では、第１の折り畳み線は、連続的なフィルム材料の隣接する部分を平坦な直線に沿って一緒にプレスすることによって製造される。第２の代替例においては、第２の折り畳み線は、連続的なフィルム材料の隣接する部分を直線に沿って一緒にプレスすることなく折り畳むことによって製造される。
【００１１】
好ましい実施形態によれば、ストリップ形状の第１の閉塞部及び／又はストリップ形状の第２の閉塞部は真直ぐである。代替的に、ストリップ形状の第１の閉塞部及び／又は第２の閉塞部は、湾曲しているか、又はジグザグ状の経路、正弦曲線経路若しくは他の好適な経路に従っている。
【００１２】
好ましい実施形態によれば、刻み煙草入れは垂れ蓋を有し、この垂れ蓋は第２の折り畳み線を介して後部パネルの上端部に接続されている。垂れ蓋を通じて、刻み煙草入れは１つ以上のチャンバを開放した後に閉塞可能である。さらに、垂れ蓋は、巻き煙草のロールを作るために準備が整った材料を配置するために使用することができる。少なくとも１つのチャンバを空にした後、接着式垂れ蓋を有する、このチャンバを画定する前部パネル及び後部パネルの一部を、少なくとも１つの依然として充填されている、若しくは部分的に充填されている刻み煙草入れのチャンバの周りで包み込んでシールすることができる。
【００１３】
第２の折り畳み線は、垂れ蓋及び後部パネルを構成する連続的なフィルム材料に設けられる。第１の代替例では、第２の折り畳み線は、連続的なフィルム材料の隣接する部分を平坦な直線に沿って一緒にプレスすることによって製造される。第２の代替例では、第２の折り畳み線は、連続的なフィルム材料の隣接する部分を直線に沿ってプレスすることなく折り畳むことによって製造される。
【００１４】
好ましい実施形態によれば、垂れ蓋もまた前部パネル又は後部パネルに、第２の折り畳み線から所定の距離において、第３の開放可能な閉塞部によって接続される。
【００１５】
さらなる実施形態によれば、第３の閉塞部は再閉塞可能な閉塞部である。さらなる実施形態によれば、第３の閉塞部は、接着ストリップ、チャック、平面ファスナ、又は微細吸引構造である。好ましくは、接着ストリップは垂れ蓋に取り外せないように糊付けされるか、又は前部パネル又は後部パネルに再使用可能な接着剤で糊付けされるか、若しくは感圧式の接着剤で糊付けされる。
【００１６】
さらなる実施形態によれば、第２の側端部における第１の接続手段は、シールされたシームであるか、接合されたシームであるか、チャック若しくは平面ファスナであるか、又は微細吸引構造であるか、或いは前部パネルと後部パネルとを互いに接続する第３の折り畳み線である。刻み煙草入れが連続的なウェブ形状のフィルム材料から製造されることを前提とすると、第１の接続手段は好ましくはシールされたシームである。刻み煙草入れが連続的なウェブ形状の筒状材料からなることを前提とすると、第１の接続手段が好ましくは第３の折り畳み線である。第１の折り畳み線のように、第３の折り畳み線は代替的には上述したように真直ぐな線か曲がっている線である。
【００１７】
さらなる実施形態によれば、下端部における第２の接続手段は、前部パネルと後部パネルとを互いに接続する、シールされたシームか、接合されたシームか、チャック若しくは平面ファスナか、又は微細吸引構造である。
【００１８】
さらなる実施形態によれば、第３の閉塞部及び／又は少なくとも１つの第２の閉塞部は、再閉塞可能ではない閉塞部であり、閉塞部をこじ開けた後には再閉塞は不可能である。
【００１９】
さらなる実施形態によれば、第１の閉塞部は再閉塞可能な閉塞部である。再閉塞可能な第１の閉塞部は、刻み煙草入れをシールし、煙草、湿気、及び香味の損失を特に効果的な方法で防止する。好ましい実施形態によれば、第１の閉塞部はプラスティックチャックである。
【００２０】
さらなる実施形態によれば、第２の閉塞部は、前部パネルと後部パネルとの間をこじ開けることができる接着接合部である。一旦接着接合部がこじ開けられると、その接合部は効果をなくし、第２の閉塞部は再び閉塞することができない。刻み煙草入れが再閉塞可能な第１の閉塞部を含んで設計される場合には、これは第２のチャンバ中の煙草が失われないように防止するために使用することができる。
【００２１】
本発明は実現可能な実施形態を含み、その場合には第１の閉塞部はこじ開けることができる接着接合部であって、再閉塞することができない。この実施形態では、再閉塞可能な垂れ蓋によって再閉塞可能であれば、好ましい。
【００２２】
さらなる実施形態によれば、前記少なくとも１つの第２の閉塞部は、刻み煙草入れの内側を同じ大きさのいくつかのチャンバに分割し、それによって消費者はそれぞれのチャンバに同じ量の煙草を供給され得る。
【００２３】
さらなる実施形態によれば、垂れ蓋は２つの垂れ蓋部分を有し、第１の垂れ蓋部分は第２の折り畳み線を介して後部パネルに接続され、第２の垂れ蓋部分は第３の折り畳み線を介して前部パネルに接続され、２つの垂れ蓋部分は、前記第１の折り曲げ線を介して第１の側端部において、及び／又は第１の接続手段を介して第２の側端部において、及び／又は第３の接続手段を介して第２の折り畳み線に対向するそれらの端部において、接続されている。この実施形態には、２つの垂れ蓋部分からなる垂れ蓋が設けられている。２つの垂れ蓋部分が少なくとも１つの端部で互いに接続されていない場合には、垂れ蓋を巻き煙草用紙のブックレット又は別の物品を２つの垂れ蓋部分の間に保存することができる。垂れ蓋部分が端部のそれぞれにおいて互いに接続されており、開放可能な閉塞部、すなわちミシン目の線を設けられている場合には、同じ状態になる（Ｔｈｅ  ｓａｍｅ  ｇｏｅｓ）。
【００２４】
さらなる実施形態によれば、第３の接続手段は、シールされたシームであるか、接合されたシームであるか、チャックであるか、平面ファスナであるか、又は微細吸引構造である。
【００２５】
さらなる実施形態によれば、少なくとも１つのミシン目の線が前部パネル及び／又は第２の垂れ蓋部分に配置される。ミシン目の線が前部パネルに配置される場合には、使用者は煙草を、ミシン目の線を開放した後に第１又は第２のチャンバから取り出すことができる。ミシン目の線が第２の垂れ蓋部分に配置される場合には、垂れ蓋は、ミシン目の線を開放した後に、巻き煙草用紙のブックレット又は可動である他の物品を保存することができる。使用者は、チャンバから煙草を取り除くためには第１及び第２の閉塞部を開放しなければならない。一旦、煙草が取り出されると、刻み煙草入れは、垂れ蓋を閉じること及び必要に応じて第１の閉塞部を閉じることによって閉塞することができる。
【００２６】
一実施形態によれば、刻み煙草入れは連続的なウェブ形状のフィルム材料のカットオフ部分から製造される。さらなる実施形態によれば、刻み煙草入れは連続的な筒状形状のフィルム材料のカットオフ部分から製造される。筒状のフィルム材料は、分割されることによって、少なくともウェブ形状のフィルム材料になり、刻み煙草入れはそれから作られる。
【００２７】
好ましい実施形態によれば、刻み煙草入れは完全に又は部分的にヒートシール可能なフィルム材料から作られる。さらなる実施形態によれば、フィルム材料はプラスティック、又は紙、又は金属フィルム材料、又はこれら材料のいずれかの組み合わせである。さらなる実施形態によれば、フィルム材料は、２つ以上の異なるプラスティック、又は金属、又は紙の層、又はそれら層のいずれかの組み合わせを備える多層材料である。多層フィルム材料は、煙草に対して不活性であるとともに望ましい不透過性を有する材料からなる内層を有することができる。外層は、印刷に好適である材料から製造することができる。さらに、少なくとも１つの材料はヒートシール可能である。フィルム材料は、例えばＯＰＰ（配向ポリプロピレン）及びＰＥ（ポリエチレン）層を備える多層材料である。好ましくは、多層材料は積層材である。プラスティックフィルム材料は、例えば金属化されたフィルム材料である。さらなる実施形態によれば、フィルム材料はバイオプラスティックフィルム材料である。さらなる実施形態によれば、フィルム材料は生分解可能なフィルム材料である。
【００２８】
本発明に使用するためのプラスティックストリップが、特許文献２に開示されている。
【００２９】
シールされたシームは、２つのフィルム材料を、少なくとも表面で温度を上げて圧力をかけることによって互いに融合させ、続いて再度冷却することによって製造される。長持ちする、頑丈な接続がこのようにして生成される。
【００３０】
こじ開けることができる接着接合を生成するための接着剤は、好ましくは剥がすことができるシールの接着剤である。接着接合はこじ開けることができ、接着剤を塗られて一緒にされた前部パネル及び後部パネルの領域を一時的に温度を上げ、圧力をかけることによって生産することができる。
【００３１】
本発明が、第２の実施形態の添付の図面に基づいて、以下に説明される。
【図面の簡単な説明】
【００３２】
【図１】平らに広げられた第１の実施形態のブランクの正面図である。
【図２】煙草を充填されるときのプレカットされた部分の正面図である。
【図３】完成した刻み煙草入れの正面図である。
【図４】平らに広げられた第１の実施形態のブランクの正面図である。
【図５】煙草を充填されるときの部分的に組み立てられたブランクの正面図である。
【図６】完全に組み立てられた刻み煙草入れの正面図である。
【図７】開放された垂れ蓋を有する刻み煙草入れの正面図である。
【図８】開放された垂れ蓋を有する第３の実施形態の正面図である。
【図９】開口されたミシン目の線を有する刻み煙草入れの正面図である。
【発明を実施するための形態】
【００３３】
図１によれば、ブランク１は前部パネル２と後部パネル３とを備え、これら前部パネル２及び後部パネル３は、第１の折り畳み線５を介して第１の側端部４で接続されている。上端部６において、垂れ蓋８が第２の折り畳み線７を介して後部パネル３にヒンジ結合している。
【００３４】
また、ストリップ状の解放可能な第２の閉塞部９が、上端部６に沿って前部パネル２及び後部パネル３の内側に取り付けられている。閉塞部９は、こじ開けることができる接着接合部１０を生成するための接着剤、又はプラスティックチャック１１の、２つのプラスティックチャックコンポーネントのいずれかに関係する。
【００３５】
さらに、ブランク１は、ストリップ状の、開放可能な第２の閉塞部１２を特徴としており、この閉塞部１２は、前部パネル２及び後部パネル３の上端部６と下端部１３との間で、前部パネル２及び後部パネル３の全体に亘って、中央に延在する。第２の閉塞部１２は、好ましくはこじ開けることができる接着接合部１０として設計される。
【００３６】
図２によれば、前部パネル２は第１の折り畳み線５の周りに後部パネル３に対して折り畳まれ、前部パネル２と後部パネル３とは互いに対して第２の側端部１５及び下端部１３で、第１及び第２の接続手段１６、１７によって接続されている。接続手段１６、１７は、高温と圧力をかけることによって生成される。
【００３７】
その後、煙草１８が上方から、第１の折り畳み線５と第１の接続手段１６との間の開口部１９を通じて充填される。煙草１８は、第２の接続手段１７と第１の閉塞部９との間の領域全体に亘って均一に分配される。その後、第１及び第２の閉塞部９、１２は、熱及び温度をかけることによって閉塞される。煙草１８は次いで、第１及び第２の閉塞部９、１２によって仕切られた２つのチャンバ２０、２１に亘って均一に分配される。
【００３８】
最後に、垂れ蓋８が反転されて、接着剤を設けられた接着ストリップからなる第３の閉止部２２によって閉塞され、接着剤はその内面において感圧式であり、前部パネルに設けられている（図３）。
【００３９】
煙草を刻み煙草入れ２３から取り出すために、第３の閉止部２２が取り外され、垂れ蓋が開けられる。第１の閉塞部９が一旦開放されると、第１のチャンバ２０がアクセス可能となる。煙草を第１のチャンバから取り出した後、第１のチャンバ又は垂れ蓋８は再度閉塞される。第１のチャンバ２０が一旦空にされると、第２のチャンバ２１が第２の閉塞部１２を開放することによって開放される。第２のチャンバ２１もまた、すべての煙草１８が取り出されてしまうまで、第２の閉塞部９又は垂れ蓋８を再度閉塞することによって閉塞することができる。
【００４０】
図４〜７の実施形態は、上述した実施形態とは、第１の垂れ蓋部分２４を有する点で異なり、第１の垂れ蓋部分２４は第２の折り畳み線７を介して後部パネル２に接続されており、第２の垂れ蓋部分２５は、前部パネル２に第３の折り畳み線２６を介して接続されている。ブランク２７は、ブランク１とは異なり長方形状であり、前部パネル２の上に小穴があけられた領域を有している。ミシン目の線２８がレーザ技術を使用して設けられている。さらに、第１及び第２の垂れ蓋部分２４、２５は、互いに第１の折り畳み線５を介して接続されている。
【００４１】
一旦その部分が第１の折り畳み線５の周りに折り畳まれると、前部パネル２及び後部パネル３は、第１の接続手段１６を介して第２の側端１５において、及び第２の接続手段１７を介して下端１３において互いに接続される。
【００４２】
その後、煙草１８が上方から、第１の垂れ蓋部分２４と第２の垂れ蓋部分２５との間の開口部を通じて充填される（図５）。煙草１８は、第２の接続手段１７と第１の閉塞部９との間の領域全体に亘って均一に分配される。その後、第１及び第２の閉塞部９、１２が閉塞され、第１及び第２の垂れ蓋部分２４，２５が、第３の接続手段２９によって互いに接続される。紙巻きたばこ用紙のブックレットがさらなる開口部３０を通じて垂れ蓋８の中に挿入される。最後に、２層状の垂れ蓋８が前部パネルに対して折り畳まれ、そこで第３の閉塞部材２２によって固定される。
【００４３】
図７によれば、煙草１８を取り出すために、垂れ蓋８は刻み煙草入れ３１に対して折り畳まれ、ミシン目の線は切り離される。結果的に、使用者は第１のチャンバの中の煙草１８へのアクセスを有する。巻きたばこ用の紙のブックレットはさらなる開口部３０を通じてアクセス可能である。
【００４４】
図８及び９の実施形態は、図４及び図７の実施形態とは、ミシン目の線３２が、第２の垂れ蓋部分２５に設けられている点で異なる。さらに、第１の接続手段１６は、第２の側壁１５に沿って第３の接続手段２９まで延びる。最終的に、接着性ストリップ３３が、ミシン目の線３２の開放を容易化する。
【００４５】
ミシン目の線３２の開放の後、巻きたばこ用の紙のブックレットは垂れ蓋８から取り除くことができる。チャンバ２０及び２８は、第１の閉塞部９及び第２の閉塞部１２を開放した後にアクセス可能である。煙草と、巻きたばこ用の紙と、を取り除いた後、使用者は紙のブックレットを垂れ蓋８の中に再び挿入し、接着テープ３３を第２の垂れ蓋部分２５に第１の閉塞部９に隣接して貼り付けることによって閉塞することができる。
【符号の説明】
【００４６】
１          ブランク
２          前部パネル
３          後部パネル
４          第１の側端部
５          第１の折り畳み線
６          上端部
７          第２の折り畳み線
８          垂れ蓋
９          第１の閉塞部
１０        接着接合部
１１        プラスティックチャック
１２        第２の閉塞部
１３        下端部
１４        接着接合部
１５        第２の側端部
１６        第１の接続手段
１７        第２の接続手段
１８        煙草
１９        開口部
２０        チャンバ
２１        チャンバ
２２        第３の閉塞部
２３        刻み煙草入れ
２４        第１の垂れ蓋部分
２５        第２の垂れ蓋部分
２６        第３の折り畳み線
２７        ブランク
２８        ミシン目の線
２９        第３の接続手段
３０        さらなる開口部
３１        刻み煙草入れ
３２        ミシン目の線
３３        接着テープ
【図１−３】
0006629206.tif 000002
【図４】
0006629206.tif 000003
【図５−６】
0006629206.tif 000004
【図７−９】
0006629206.tif 000005